(57)【要約】【課題】ディスクの誤挿入を確実に防止することができる「ディスクプレーヤの誤挿入防止機構」を提供すること。【解決手段】ディスク挿入口３の中央部を覆ってディスクの挿入を阻止するシャッタ９の阻止部９ａに、挿入されるディスクの外周縁に当接してシャッタ９に開放方向の回転力を付与する受止部９ｂと、この受止部９ｂの上端から突出してディスクの上面側に係止可能な突起９ｃとを形成し、２枚目のディスクがディスク挿入口３の中央部に対してシャッタ９の回動支点側に偏った位置から無理に挿入されたとき、このディスクの外周縁を受止部９ｂに当接させた状態で該ディスクの上面側を突起９ｃに係止させることにより、シャッタ９の開放方向への動きを規制して２枚目のディスクの誤挿入を確実に防止するようにした。【選択図】図１
2008262639.tif 000002
【特許請求の範囲】
【請求項１】
ディスク挿入口を有する前面板と、この前面板に回動可能に支持されたシャッタと、このシャッタを閉鎖位置と開放位置との間で回動操作する駆動部材とを備え、前記シャッタが閉鎖位置にあるとき、該シャッタの先端側に設けられた阻止部が前記ディスク挿入口の一部を覆ってディスクの挿入を阻止し、前記シャッタが開放位置にあるとき、前記阻止部が前記ディスク挿入口を開放してディスクの挿入を許可するディスクプレーヤの誤挿入防止機構において、
前記阻止部の一側縁を受止部となすと共に該受止部の上端に突起を形成し、前記ディスク挿入口の中央部に対して前記シャッタの回動支点側に偏った位置からディスクが挿入されたとき、このディスクの外周縁を前記受止部に当接させて前記シャッタに開放方向の回転力を付与すると共に、このディスクの上面側を前記突起に係止させるようにしたことを特徴とするディスクプレーヤの誤挿入防止機構。
【請求項２】
請求項１の記載において、前記シャッタが閉鎖位置にあるとき、前記受止部が前記ディスク挿入口内でディスクの挿入方向に対して略直交する方向へ延出していることを特徴とするディスクプレーヤの誤挿入防止機構。
【請求項３】
請求項１または２の記載において、前記シャッタと前記駆動部材との間にばね部材を介設し、前記駆動部材の駆動力が前記ばね部材を介して前記シャッタに伝達されるように構成したことを特徴とするディスクプレーヤの誤挿入防止機構。
【発明の詳細な説明】
【技術分野】
【０００１】
本発明は、ＣＤやＤＶＤ等のディスクを記録および／または再生するディスクプレーヤに係り、特に、１枚のディスクが装置内に挿入されているときに別のディスクの挿入を防止するようにしたディスクプレーヤの誤挿入防止機構に関するものである。
【背景技術】
【０００２】
一般的に車載用のディスクプレーヤでは、装置の前方を覆う前面板にスリット状のディスク挿入口が形成されているため、所望のディスクが装置内に既に挿入されているときに、誤って別のディスクがディスク挿入口から挿入される虞がある。そこで従来より、先端側を阻止部としたシャッタを前面板に回動可能に支持し、１枚目のディスクがディスク挿入口から装置内に挿入されたとき、シャッタを回動操作してディスク挿入口の一部を阻止部で覆うことにより、別のディスクが装置内に挿入されることを阻止するようにした誤挿入防止機構が知られている（例えば、特許文献１参照）。
【０００３】
図８は上記特許文献１に開示された従来の誤挿入防止機構を示す説明図であり、同図に示すように、装置の前方を覆う前面板１００には一対のシャッタ１０１が回動可能に支持されている。前面板１００にはスリット状のディスク挿入口１０２が開設されており、このディスク挿入口１０２から装置に対してディスクを挿入／排出できるようになっている。図示省略されているが、装置の内部には、回動可能なローラブラケットにローラを軸支して構成されるディスク搬送機構や、ディスクを回転駆動するターンテーブルや、回転中のディスクに対して情報の記録および／または再生を行う光ピックアップ等が配設されている。
【０００４】
両シャッタ１０１は前面板１００の表面側にピン１０３を用いて軸支されており、これらシャッタ１０１はディスク挿入口１０２の中央部を通る鉛直線に関して対称位置に配置されている。両シャッタ１０１はピン１０３を回動支点として図８（ａ）に示す閉鎖位置と図８（ｂ）に示す開放位置との間を回動可能であり、かかるシャッタ駆動機構の駆動源として前述したローラブラケットが用いられている。両シャッタ１０１の先端側は阻止部１０１ａとなっており、この阻止部１０１ａよりもピン１０３寄りの位置には係合孔１０１ｂが形成されている。これら係合孔１０１ｂにはそれぞれ駆動部１０４が係合しており、駆動部１０４は前面板１００に開設した貫通孔１０５内を上下動するようになっている。両駆動部１０４はローラブラケットに一体的に設けられたものであり、両シャッタ１０１はローラブラケットの回動に伴って駆動部１０４が貫通孔１０５内を上下動することによって回動操作される。
【０００５】
このように概略構成された誤挿入防止機構では、ディスクが装置内に挿入されていない待機状態にあるとき、図８（ｂ）に示すように、駆動部１０４は貫通孔１０５の下方位置で係合孔１０１ｂと係合しており、両シャッタ１０１はディスク挿入口１０２を開放する開放位置に保持されている。この待機状態で任意のディスクをディスク挿入口１０２から装置の内部に挿入すると、このディスクはローラブラケットに軸支されたローラの回転駆動力によってプレイ位置へと自動搬送され、ディスクの中心部がターンテーブルにクランプされる直前に、ローラブラケットが回動操作されてローラがディスクの下面から離反する。また、かかるローラブラケットの回動に伴って駆動部１０４が貫通孔１０５内を上昇するため、図８（ａ）に示すように、両シャッタ１０１が開放位置から閉鎖位置へと回動操作され、ディスク挿入口１０２の中央部近傍が一対の阻止部１０１ａによって覆われる。したがって、この状態で２枚目のディスクをディスク挿入口１０２に挿入しようとしても、このディスクは両阻止部１０１ａによってディスク挿入口１０２への挿入が阻止される。
【特許文献１】特開２００４−３１８９６５号公報（第５−７頁、図４）
【発明の開示】
【発明が解決しようとする課題】
【０００６】
しかしながら、前述した従来の誤挿入防止機構においては、両シャッタ１０１が閉鎖位置にあるときに２枚目のディスクをディスク挿入口１０２の中央部に対して大きく外側へ偏った位置、例えば、図８（ａ）に示す左側のシャッタ１０１とディスク挿入口１０２の左端部との間に無理に挿入した場合、その挿入力によって左側のシャッタ１０１に開放方向（同図の時計回り方向）の大きな回転モーメントが発生し、このシャッタ１０１を閉鎖方向へ押圧している駆動部１０４を含むシャッタ駆動機構の一部が変形したり破損するという問題があった。特に、２つあるシャッタ１０１のいずれか一方を省略し、他方のシャッタ１０１の阻止部１０１ａでディスク挿入口１０２の中央部を覆うように構成した場合は、ディスク挿入口１０２の左右両端部と阻止部１０１ａとの間に比較的大きな隙間が存在し、これら隙間からディスクを無理に挿入してしまう頻度が高くなるため、上記したシャッタ駆動機構の損傷という問題は顕著なものとなる。
【０００７】
なお、シャッタとシャッタ駆動機構との間にトーションばね等のばね部材を介設し、このばね部材を介してシャッタ駆動機構の駆動力がシャッタに伝達されるように構成すれば、閉鎖位置に保持されたシャッタに開放方向の回転モーメントが発生したとしても、この回転モーメントをばね部材が撓むことで吸収できるため、シャッタ駆動機構が変形したり破損することはなくなるが、その反面、２枚目のディスクを大きな力で無理に挿入すればシャッタが開放されてしまうため、ディスクの誤挿入を確実に防止することができなくなるという問題が発生する。
【０００８】
本発明は、このような従来技術の実情に鑑みてなされたもので、その目的は、ディスクの誤挿入を確実に防止することができるディスクプレーヤの誤挿入防止機構を提供することにある。
【課題を解決するための手段】
【０００９】
本発明は、２枚目のディスクがディスク挿入口の中央部に対してシャッタの回動支点側に偏った位置から挿入されたとき、このディスクの挿入力を受けて開放方向へ回転しようとするシャッタの回転モーメントを利用して、シャッタの阻止部に形成した突起をディスクの上面側に係止させることにより、シャッタの開放方向への動きを規制してディスクをそれ以上挿入できないようにした。
【発明の効果】
【００１０】
本発明によるディスクプレーヤの誤挿入防止機構は、ディスク挿入口の一部を覆ってディスクの挿入を阻止するシャッタの阻止部に、挿入されるディスクの外周縁に当接してシャッタに開放方向の回転力を付与する受止部と、この受止部の上端から突出してディスクの上面側に係止可能な突起とを形成したので、２枚目のディスクがディスク挿入口の中央部に対してシャッタの回動支点側に偏った位置から無理に挿入されたとしても、このディスクの外周縁を受止部に当接させた状態で該ディスクの上面側を突起に係止させることにより、シャッタの開放方向への動きを規制して２枚目のディスクの誤挿入を確実に防止することができる。
【発明を実施するための最良の形態】
【００１１】
本発明は、ディスク挿入口を有する前面板と、この前面板に回動可能に支持されたシャッタと、このシャッタを閉鎖位置と開放位置との間で回動操作する駆動部材とを備え、前記シャッタが閉鎖位置にあるとき、該シャッタの先端側に設けられた阻止部が前記ディスク挿入口の一部を覆ってディスクの挿入を阻止し、前記シャッタが開放位置にあるとき、前記阻止部が前記ディスク挿入口を開放してディスクの挿入を許可するディスクプレーヤの誤挿入防止機構において、前記阻止部の一側縁を受止部となすと共に該受止部の上端に突起を形成し、前記ディスク挿入口の中央部に対して前記シャッタの回動支点側に偏った位置からディスクが挿入されたとき、このディスクの外周縁を前記受止部に当接させて前記シャッタに開放方向の回転力を付与すると共に、このディスクの上面側を前記突起に係止させるようにした。
【００１２】
このように構成されたディスクプレーヤの誤挿入防止機構では、任意のディスクのプレイ動作中に２枚目のディスクがディスク挿入口の中央部に対してシャッタの回動支点側に偏った位置から無理に挿入されると、このディスクの外周縁が阻止部の一側縁に形成された受止部に当接することにより、シャッタを開放方向へ回転しようとする回転モーメントが発生するが、この回転モーメントによって受止部の上端に形成された突起がディスクの上面側に係止されるため、シャッタの開放方向への動きが規制されてディスクをそれ以上挿入することができなくなる。
【００１３】
上記の構成において、シャッタの受止部はディスク挿入口に対して斜め方向へ延出していても良いが、シャッタが閉鎖位置にあるとき、この受止部がディスク挿入口内でディスクの挿入方向に対して略直交する方向へ延出していると、ディスクの外周縁を厚み方向の全域に亘って受止部に当接させることができるため、ディスクの挿入力を受止部に確実に伝達することができて好ましい。
【００１４】
また、上記の構成において、シャッタと駆動部材との間にばね部材を介設し、駆動部材の駆動力がばね部材を介してシャッタに伝達されるようにすると、シャッタや駆動部材の寸法誤差をばね部材によって吸収することができて好ましい。
【実施例】
【００１５】
実施例について図面を参照して説明すると、図１は実施例に係るディスクプレーヤの該誤挿入防止機構を示す正面図、図２は該誤挿入防止機構を背面側から見た斜視図、図３は該誤挿入防止機構の動作説明図、図４は該誤挿入防止機構に備えられるシャッタと誤挿入されたディスクとの関係を示す説明図、図５は該ディスクプレーヤの要部を示す斜視図、図６は該ディスクプレーヤに備えられるシャッタ駆動機構の要部を示す斜視図、図７は該シャッタ駆動機構の動作説明図である。
【００１６】
図５と図６に示すように、ディスクプレーヤの外殻を形成する筐体１には前面板２が取り付けられており、この前面板２にはディスクを筐体１に対して挿入／排出する横長形状のディスク挿入口３が形成されている。筐体１の内部にはローラブラケット４が配設されており、このローラブラケット４は筐体１の左右両側壁に回動可能に支持されている。ローラブラケット４の後端部にはローラ５が軸支されており、このローラ５は図示せぬモータを駆動源として正逆両方向へ回転駆動される。ローラ５は筐体１の上面側に配置された図示せぬガイド部材の下面に対向しており、ローラブラケット４をコイルばね６で付勢することによってローラ５は常にガイド部材の下面に圧接する方向へ付勢されている。また、ローラブラケット４の一側部には駆動レバー７が取り付けられており、この駆動レバー７の先端は前面板２に開設された貫通孔２ａ内に露出している。
【００１７】
筐体１の左右両側壁にはそれぞれスライド部材８（一方は図示せず）が配設されており、これらスライド部材８は図示せぬモータを駆動源として筐体１の前後方向へ往復移動するようになっている。スライド部材８には複数のカム溝が形成されており、そのうち前端側のカム溝８ａにローラ５を軸支するシャフトの端部が係合している。これにより、スライド部材８の前後進移動に伴ってカム溝８ａとシャフトの相対位置が変化し、シャフトを支持するローラブラケット４が駆動レバー７と一体的に回動する。すなわち、図７（ａ）に示すように、スライド部材８が前進位置にあるとき、シャフトの端部５ａはカム溝８ａの最奥部と係合しており、ローラ５は前記ガイド部材から離間した下方位置に保持されている。この状態からスライド部材８が矢印Ａ方向へ移動すると、シャフトの端部５ａが相対的にカム溝８ａの前端側へ移動するため、ローラブラケット４と駆動レバー７が同図の反時計方向へ回動する。そして、スライド部材８が後退位置まで移動すると、図７（ｂ）に示すように、シャフトの端部５ａはカム溝８ａの手前側へと移行し、ローラ５は前記ガイド部材に圧接した上方位置に保持される。また、図７（ｂ）に示す状態からスライド部材８が矢印Ｂ方向へ移動すると、上記と逆にシャフトの端部５ａが相対的にカム溝８ａの奥側へ移動するため、ローラブラケット４と駆動レバー７が同図の時計方向へ回動する。そして、スライド部材８が前進位置まで移動すると、図７（ａ）に示すように、シャフトの端部５ａはカム溝８ａの最奥部へと移行し、ローラ５は前記ガイド部材から離間した下方位置に保持される。
【００１８】
なお、筐体１の内部には、プレイ位置に搬送されたディスクを回転駆動するターンテーブルや、回転中のディスクに対して情報の記録および／または再生を行う光ピックアップ（いずれも図示せず）等が配設されている。
【００１９】
図１〜図４に示すように、前面板２の表面側にはシャッタ９がピン１０を用いて軸支されており、このシャッタ９はピン１０を回動支点として図１（ａ）に示す閉鎖位置と図１（ｂ）に示す開放位置との間を回動可能となっている。シャッタ９の回動支点から最も離れた先端側は阻止部９ａとなっており、この阻止部９ａがディスク挿入口３の中央部を覆うことによってディスクの挿入が阻止されている。阻止部９ａは互いに平行に延びる一対の側縁を有しており、これら両側縁のうち、回動支点に近い方の一側縁が受止部９ｂとなっている。また、受止部９ｂの上端には突起９ｃが形成されており、この突起９ｃの下端は受止部９ｂと直交する方向へ突出している。そして、シャッタ９が図１（ａ）の閉鎖位置にあるとき、受止部９ｂはディスク挿入口３内で鉛直方向へ延びており、突起９ｃはディスク挿入口３の上辺付近に位置している。
【００２０】
一方、シャッタ９の回動支点に近い後端側には第１乃至第３の折曲片９ｄ，９ｅ，９ｆが形成されており、これら折曲片９ｄ，９ｅ，９ｆは前面板２に開設された透孔２ｂを挿通して前面板２の裏面側に達している。図２と図３に示すように、第１の折曲片９ｄと前面板２の下端部との間にはコイルばね１１が張架されており、このコイルばね１１によってシャッタ９は開放方向へ付勢されている。また、前面板２の裏面側には駆動アーム１２が回転可能に支持されており、この駆動アーム１２は貫通孔２ａ内を上下動する駆動レバー７の先端によって回転駆動されるようになっている。さらに、前記ピン１０にトーションばね１３の巻回部が支持されており、このトーションばね１３の両腕部は第２の折曲片９ｅと駆動アーム１２とに掛止されている。したがって、図３（ｂ）に示すように、駆動レバー７の先端が貫通孔２ａ内の下方位置にある場合、シャッタ９はコイルばね１１のばね力によって開放位置に保持されているが、図３（ａ）に示すように、駆動レバー７の先端が貫通孔２ａ内を上昇して駆動アーム１２を反時計方向へ回動すると、トーションばね１３が駆動アーム１２の回動に伴って蓄力されていくため、シャッタ９はコイルばね１１のばね力に抗して閉鎖位置へと回動する。
【００２１】
このように構成されたディスクプレーヤでは、ディスクが挿入されていない待機状態において、ローラブラケット４は後端側が持ち上がった前傾姿勢にあり、ローラ５はコイルばね６の付勢力により図示せぬガイド部材の下面方向へ弾性付勢されている。また、ローラブラケット４の一側部に取り付けられた駆動レバー７の先端は貫通孔２ａ内の下方位置にあるため、図１（ｂ）に示すように、シャッタ９はコイルばね１１のばね力によってディスク挿入口３を開放する開放位置に保持されている。
【００２２】
この待機状態で任意のディスクをディスク挿入口３から筐体１の内部に挿入すると、ディスクの先端部がガイド部材の下面とローラ５とで挟持された後、ローラ５の回転駆動力によってディスクはプレイ位置へと自動搬送される。この間、スライド部材８が後退位置から前進位置へ移動するため、ディスクの中心部が図示せぬターンテーブルにクランプされる直前に、ローラブラケット４が回動操作されてローラ５がディスクの下面から離反する。また、かかるローラブラケット４の回動に伴って駆動レバー７の先端が貫通孔２ａ内を上昇すると、駆動アーム１２が反時計方向へ回動操作されてトーションばね１３の腕部を撓めていくため、シャッタ９がトーションばね１３のばね力によって開放位置から閉鎖位置へと回動操作され、図１（ａ）に示すように、ディスク挿入口３の中央部がシャッタ９の阻止部９ａによって覆われる。したがって、この状態で２枚目のディスクをディスク挿入口３の中央部から筐体１内に挿入しようとしても、このディスクはその先端部が阻止部９ａに当接することによって挿入阻止される。
【００２３】
また、任意のディスクのプレイ動作中に２枚目のディスクがディスク挿入口３の中央部に対してシャッタ９の回動支点側に偏った位置、すなわち阻止部９ａの左側に位置するディスク挿入口３から無理に挿入されると、図４に示すように、このディスクＤの外周縁が阻止部９ａの一側縁に形成された受止部９ｂに当接するため、シャッタ９を開放方向（図４の時計方向）へ回転しようとする回転モーメントＭが発生する。その結果、シャッタ９がトーションばね１３のばね力に抗して開放方向へ僅かに回転した後、受止部９ｂの上端に形成された突起９ｃがディスクＤの上面側に係止されるため、シャッタ９の開放方向への動きが規制されてディスクＤをそれ以上挿入することができなくなる。なお、２枚目のディスクが阻止部９ａの右側に位置するディスク挿入口３から無理に挿入された場合は、そのディスクの外周縁が阻止部９ａの他側縁に当接することにより、シャッタ９を閉鎖方向へ回転しようとする回転モーメントが発生するため、この場合もディスクをそれ以上挿入することができなくなる。
【００２４】
以上説明したように、本実施例に係るディスクプレーヤの誤挿入防止機構では、ディスク挿入口３の中央部を覆ってディスクの挿入を阻止するシャッタ９の阻止部９ａに、挿入されるディスクの外周縁に当接してシャッタ９に開放方向の回転力を付与する受止部９ｂと、この受止部９ｂの上端から突出してディスクの上面側に係止可能な突起９ｃとを形成したので、２枚目のディスクがディスク挿入口３の中央部に対してシャッタ９の回動支点(ピン１０)側に偏った位置から無理に挿入されたとしても、このディスクの外周縁を受止部９ｂに当接させた状態で該ディスクの上面側を突起９ｃに係止させることにより、シャッタ９の開放方向への動きを規制して２枚目のディスクの誤挿入を確実に防止することができる。また、シャッタ９と駆動アーム１２との間にトーションばね１３（ばね部材）を介設し、駆動アーム１２の回転駆動力がトーションばね１３を介してシャッタ９に伝達されるようにしたので、シャッタ９や駆動アーム１２あるいは駆動レバー７等に若干の寸法誤差があったとしも、この寸法誤差をトーションばね１３によって吸収することができる。
【図面の簡単な説明】
【００２５】
【図１】実施例に係るディスクプレーヤの該誤挿入防止機構を示す正面図である。
【図２】該誤挿入防止機構を背面側から見た斜視図である。
【図３】該誤挿入防止機構の動作説明図である。
【図４】該誤挿入防止機構に備えられるシャッタと誤挿入されたディスクとの関係を示す説明図である。
【図５】該ディスクプレーヤの要部を示す斜視図である。
【図６】該ディスクプレーヤに備えられるシャッタ駆動機構の要部を示す斜視図である。
【図７】該シャッタ駆動機構の動作説明図である。
【図８】従来の誤挿入防止機構を示す説明図である。
【符号の説明】
【００２６】
１  筐体
２  前面板
２ａ  貫通孔
３  ディスク挿入口
４  ローラブラケット
５  ローラ
７  駆動レバー
８  スライド部材
９  シャッタ
９ａ  阻止部
９ｂ  受止部
９ｃ  突起
１０  ピン（回動支点）
１１  コイルばね
１２  駆動アーム
１３  トーションばね（ばね部材）
【図１】
2008262639.tif 000003
【図２】
2008262639.tif 000004
【図３】
2008262639.tif 000005
【図４】
2008262639.tif 000006
【図５】
2008262639.tif 000007
【図６】
2008262639.tif 000008
【図７】
2008262639.tif 000009
【図８】
2008262639.tif 000010